(57)【特許請求の範囲】
【請求項１】
一対の側板で囲まれた収納空間に扉を収納させる扉収納機構において、
自由端を一方の側板側に有する第一の扉と、
当該第一の扉と同期して開放及び収納空間に収納され、自由端を他方の側板側に有する第二の扉と、
当該第二の扉と第一の扉の固定端を奥行き方向に後退させつつ収納空間内に設けた格納空間に収納させるためのスライド機構とを設け、
前記格納空間を、前記第一及び第二の扉により収納空間を閉鎖した状態における前記第一及び第二の扉の固定端の後方に形成したことを特徴とする扉収納機構。
【請求項２】
一対の側板で囲まれた収納空間に扉を収納させる扉収納機構において、
自由端を一方の側板側に有する第一の扉と、
当該第一の扉と同期して開放及び収納空間に収納され、自由端を他方の側板側に有し、前記第一の扉と同一の固定端を有する第二の扉と、
当該固定端を奥行き方向に後退させつつ収納空間内に設けた格納空間に収納させるためのスライド機構とを設け、
前記格納空間を、前記第一及び第二の扉により収納空間を閉鎖した状態における前記第一及び第二の扉の固定端の後方に形成したことを特徴とする扉収納機構。
【発明の詳細な説明】
【０００１】
【発明の属する技術分野】
本発明は、開放された扉を収納空間内に収納させる扉の収納機構に関するものである。
【０００２】
【従来の技術】
従来、例えば書棚やキッチンのキャビネットなどの様に、開かれた扉を収納空間側に収納して、その前面を全開放できるようにしたものがある。このようなキャビネットなどは、具体的に以下のように構成されている。すなわち、従来のキャビネットは、筐体の前面に中央部分を開放する開閉扉を設け、この中央から両開きされた扉を、左右の側板に沿って、収納空間の奥行き方向にスライド機構させて、扉を収納できるように構成している。
【０００３】
【発明が解決しようとする課題】
しかし、このような構成では、側板にスライド機構を設けなければならず、ひいてはそのスライド機構を隠すための板や、棚板を取り付けるための取付板を側板近傍に設けなければならない。したがって、複数のキャビネットを側板を介して横連結する際には、逐次前記取付板等を取り外さなければならず、その上、側板に設けられたスライド機構を避けて側板同士を連結しなければならないという不具合がある。
【０００４】
【課題を解決するための手段】
本発明は、上記の課題を解決するために、次のような手段を講じたものである。
【０００５】
すなわち、本発明の扉収納機構の一つは、一対の側板で囲まれた収納空間に扉を収納させる扉収納機構において、自由端を一方の側板側に有する第一の扉と、当該第一の扉と同期して開放及び収納空間に収納され、自由端を他方の側板側に有する第二の扉と、当該第二の扉と第一の扉の固定端を奥行き方向に後退させつつ収納空間内に設けた格納空間に収納させるためのスライド機構とを設け、前記格納空間を、前記第一及び第二の扉により収納空間を閉鎖した状態における前記第一及び第二の扉の固定端の後方に形成したことを特徴とする。
【０００６】
このような構成のものであると、連結される側板側にスライド機構や取付板などを設ける必要がなくなり、側面を介して横連結する際に、扉格納空間を形成している取付板等を外す手間を省くことができる。
【０００７】
また、自由端を一方の側板側に有する第一の扉と、当該第一の扉と同期して開放及び収納空間に収納され、自由端を他方の側板側に有する第二の扉と、当該第二の扉と第一の扉の固定端を奥行き方向に後退させつつ収納空間内に設けた格納空間に収納させるためのスライド機構とを設けているので、一度の扉開閉動作で両扉を開閉することができる。更に、扉開放時に発生する第一の扉の揺動する力と、第二の扉の揺動する力とを相殺し、扉の開放動作をより安定した動きとすることができる。
【０００８】
また、本発明の扉収納機構の他の一つは、一対の側板で囲まれた収納空間に扉を収納させる扉収納機構において、自由端を一方の側板側に有する第一の扉と、当該第一の扉と同期して開放及び収納空間に収納され、自由端を他方の側板側に有し、前記第一の扉と同一の固定端を有する第二の扉と、当該固定端を奥行き方向に後退させつつ収納空間内に設けた格納空間に収納させるためのスライド機構とを設け、前記格納空間を、前記第一及び第二の扉により収納空間を閉鎖した状態における前記第一及び第二の扉の固定端の後方に形成したことを特徴とする。
このようなものであっても、連結される側板側にスライド機構や取付板などを設ける必要がなくなり、側面を介して横連結する際に、扉格納空間を形成している取付板等を外す手間を省くことができる。さらに、このようなものであれば、扉収納時における第一の扉と第二の扉の間隔を狭くし、省スペースで両扉を収納することもできる。
【０００９】
【発明の実施の形態】
以下、本発明の一実施形態を、図面を参照して説明する。この実施形態に係る扉収納機構は、図１に示す収納キャビネットＡに適用されたものである。
【００１０】
図１は、収納キャビネットＡを示す正面図、図２は、収納キャビネットＡの右側板１４および右内板１５Ｂを取り外した状態の右側面図、図３から図５は、天板１１を取り外した状態の平面図であり、扉を開放し収納するまでを示している。
【００１１】
この収納キャビネットＡは、収納空間Ｓ１を形成するキャビネット本体１と、このキャビネット本体１の前面開口を開閉可能とする左右の扉と、この扉を前記収納空間Ｓ１に進退可能なスライド機構３とを有している。以下、具体的な構成を詳述する。
【００１２】
キャビネット本体１は、図１に示すように、スチール素材を折り曲げて成形してなる天板１１、底板１２、背面板１３、左右一対の側板１４を筐形に組み付けることによって、前面を開口させた収納空間Ｓ１を形成しているものである。また、底板１２の略中央部１２Ａには、左右一対の内板１５Ａ、１５Ｂを有し、この内板１５Ａ、１５Ｂによって、後述する扉２を格納する格納空間Ｓ２を形成している。
【００１３】
天板１１は、平面視矩形を成し、その裏面側前端部に扉仮止め部１１Ｃを有している。また、裏面中央部に奥行き方向を長寸としたチャネル部材１１Ａ有し、このチャネル部材１１Ａを介して後述する内板１５Ａ、１５Ｂを取付ている。更に、表面には化粧版１１Ｂが取り付けられている。
【００１４】
この天板１１の対向位置には、天板１１と略同型の底板１２が設けられており、この底板１２の後下端および天板１１の後上端に渉って背面板１３が固設されている。また、この背面板１３の側面に当接する位置には、収納空間Ｓ１側に棚板１６取付孔を有する側板１４が取り付けられている。
【００１５】
この側板１４と平行に設けられている左右一対の内板１５Ａ、１５Ｂは、前記底板１２の幅方向中央部１２Ａから鉛直方向に起立するものである。また、各々の内板１５Ａ、１５Ｂは平面視コの字状を成し、奥行き寸法は、収納空間Ｓ１の奥行き寸法より僅かに短く、その外側面１５ａ、１５ｃには、選択された高さに棚板１６を取り付けるための棚板取付孔を複数有している。左右内板１５Ａ、１５Ｂは、各々の開口側を向き合わせた状態として底板１２および天板１１のチャネル部材１１Ａにネジ止めされている。そして、左右の内板１５Ａ、１５Ｂは、２枚の扉２１，２２の厚み分離隔した状態に取り付けられ、その２枚の内板１５Ａ、１５Ｂの間を扉格納空間Ｓ２としている。
【００１６】
この扉格納空間Ｓ２に進退可能な左右の扉２１，２２は、固定端を支軸として回転する回転扉であり、前記側板１４側を自由端２１Ａ、２２Ａとし、前記内板１５Ａ，１５Ｂ近傍に設けた連続蝶板２３を固定端２Ａに設定されている。
【００１７】
左扉２１は、スチール素材を折り曲げて成形してなる正面視矩形を成すもので、前面開口の幅方向の略２分の１を短寸、高さ方向を長寸とするものである。その前面左側縁近傍には、扉２１、２２の開閉に要する操作用取手１７が設けられている。また、その裏面上下端近傍にラッチ２１Ｂを突設することで、天板裏面及び底板上面に設けた扉仮止め部１１Ｃ、１２Ｂにそのラッチを掛け合わせ、左扉２１を収納空間Ｓ１を閉鎖する状態に仮止めできるようにしている。左扉２１の右側縁部２１Ｃは、蝶板２４を介して後述するスライド機構３に取り付けられている。この蝶板２４の軸芯を、後述する連続蝶板２３の軸芯近傍である左扉２１の右側縁端の中空内方に設けることにより、扉の開閉動作をスムーズに行えるようにしている。
【００１８】
この左扉２１と同期して開閉及び収納空間Ｓ１方向へ進退可能な右扉２２は、スチール素材を折り曲げて成形してなる正面視矩形を成すもので、前面開口の幅方向の略２分の１を短寸、高さ方向を長寸とするものである。
【００１９】
この右扉２２の左前側縁部２２Ｂおよび左扉２１の右前側縁部２１Ｄを連結する連続蝶板２３は、キャビネット本体１の高さ方向を軸芯方向とする一対のギア２３Ａを有し、このギア２３Ａのかみ合わせにより右扉２２と左扉２１を同期して開閉可能とするものである。この２本のギア２３Ａに、複数の保持部材２３Ｂを高さ方向に適当間隔おいて取り付けることにより、この２本のギア２３Ａを確実に噛み合わすことができるようにしている。
【００２０】
前記扉２１，２２を収納空間Ｓ１側へ進退可能とするスライド機構３は、図２に示すように、上下一対のガイドレール３１と、このガイドレール３１に沿ってスライドされる上下一対のガイドローラ３２と、この上下のガイドローラ３２の進退同期を取るための支持支柱３３からなる。
【００２１】
ガイドレール３１は、前記左内板１５Ａの内側１５ｂに奥行き方向に沿って設けられているものであり、左内板１５Ａの内側１５ｂの上下端近傍に２本設けられている。
【００２２】
このガイドレール３１にスライド可能にははめ合わされるガイドローラ３２は、ベアリング３２Ａと、このベアリング３２Ａを抱え込む位置に配置されるブラケット３２Ｂから成る。このブラケット３２Ｂは、断面形状コの字型を成し、後述する支持支柱３３を取り付けるためのものである。このブラケット３２および前記蝶板２４を介して、ベアリング３２Ａの前端は、前記右扉２２に取り付けられている。このベアリング３２Ａは、ガイドレール３１とブラケット３２Ｂの内周面の両方をスライドして、収納空間Ｓ１奥行き方向へ進退されるものである。
【００２３】
この上下のガイドローラ３２を連結する支持支柱３３は、収納空間Ｓ１の高さ寸法より僅かに短い長寸を持つチャネル状の部材である。その上下端３３Ａ、３３Ｂを前記ガイドローラ３２の前端にブラケット３２を介して軸着することにより、上下のガイドローラ３２の同期をとり、扉２１，２２の撓みをなくしてガイドローラ３２を滑らかにスライドさせることができるようにしている。
【００２４】
以上のような構成により、収納キャビネットＡの扉を開放し、収納空間へ収納する際の動作を以下説明する。
【００２５】
まず、使用者は、操作用取手を介して左扉２１の仮止めを解除する。そして、左扉２１を手前へ引き、連続蝶板２３を固定端２Ａとして反収納空間Ｓ１側に左扉２１を開く。また、この左扉２１の開放と同時に、連続蝶板２３の有する２本のカムを噛み合わせながら回転させることにより、左扉２１の回転運動に従動して右扉２２を回転させ、右扉２２を左扉２１に同期させて開く（図４参照）。そして、左右の扉２１，２２を、内板と平行な状態となる位置まで開放すると、収納空間Ｓ１を全開放した状態となる（図５参照）。次に、左右扉２１，２２を扉格納空間Ｓ２に収納する際の動作を説明する。内板１５Ａ、１５Ｂと平行状態となった左右の扉を、両扉側面を押しながら収納空間Ｓ１奥行き方向へ押し込み、左内板１５Ａに設けられたガイドレール３１に沿って後退させる。つまり、ガイドローラ３２のベアリング３２Ａを、左内板１５Ａに設けられたガイドレール３１に沿って、ガイドレール３１及びブラケット３２Ｂの両方をスライドさせながら、収納空間Ｓ１奥行き方向へ扉を後退させる。左扉２１は蝶板２４によりガイドローラ３２に取り付けられているため、ガイドローラ３２に追従させて扉２１，２２を収納空間Ｓ１奥行き方向へ後退させる。
【００２６】
以上のような構成により、側板１４にスライド機構３や棚取付板を設けず、開放された扉を収納空間Ｓ１へ収納可能とすることができる。従って、収納キャビネットＡを側板１４を介して横連結する際には、収納空間内に十分な作業空間が確保されていると共に、側板１４近傍には一切他の部材が設けたれていないため、容易に横連結をすることができる。
【００２７】
また、連続蝶板２３を介して左右の扉の同期を取ることにより、右扉２２の扉開閉動作を行うのみで両扉２１，２２を一度に開閉することができると共に、扉開放時に発生する左扉２１の揺動する力と、右扉２２の揺動する力とを相殺し、扉の開放動作を安定した動きとできる。更に、扉２を収納空間側へ進退させるスライド機構３を１箇所設けるだけで、左右両扉２１，２２をスライドさせることができる。
【００２８】
加えて、右扉２２及び左扉２１の固定端２Ａを同一の連続蝶板２３とすることにより、両扉２１，２２の同期を簡易にとることができる。また、扉収納時における両扉間隔を狭くすることができ、省スペースで扉を収納できる。
【００２９】
なお、本発明における構成は、以上説明したものに限定されないのは勿論である。例えば、本実施の形態においては、一対の側板１４の間に左内板１５Ａを設け、この左内板１５Ａに取り付けられたスライド機構３により扉２１，２２を収納空間Ｓ１に進退可能としていたが、天板１１や底板１２にガイドレール３１を設け、扉２１，２２の上端または下端にローラ等を軸着し、ガイドレール３１に沿ってスライドさせてもよい。
【００３０】
【発明の効果】
本発明は、以上説明したような構成で実施され以下に記載されるような効果を奏する。
【００３１】
すなわち、本発明は、一対の側板で囲まれた収納空間に扉を収納させる扉収納機構において、自由端を一方の側板側に有する第一の扉と、当該第一の扉と同期して開放及び収納空間に収納され、自由端を他方の側板側に有する第二の扉と、当該第二の扉と第一の扉の固定端を奥行き方向に後退させつつ収納空間内に設けた格納空間に収納させるためのスライド機構とを設け、前記格納空間を、前記第一及び第二の扉により収納空間を閉鎖した状態における前記第一及び第二の扉の固定端の後方に形成したので、連結される側板側にスライド機構や取付板などを設ける必要がなくなり、側面を介して横連結する際に、扉格納空間を形成している取付板等を外す手間を省くことができる。
【００３２】
また、第一の扉と第二の扉の同期を取り、同時に開閉及び進退可能とすることにより、一度の扉開閉動作で両扉を開閉可能とすることができる。更に、扉開放時に発生する第一の扉の揺動する力と、第二の扉の揺動する力とを相殺し、扉の開放動作を安定した動きとできる。
【００３３】
加えて、同時に開閉及び進退可能な第一の扉と第二の扉の固定端を同一とすることにより、扉収納時における第一の扉と第二の扉の間隔を狭くし、省スペースで両扉を収納できるようにする。
【図面の簡単な説明】
【図１】本発明を収納用キャビネットに適用した一実施の形態を示す正面図。
【図２】同実施の形態における一部省略した右側面図。
【図３】同実施の形態における扉を閉じた状態を示す一部省略した平面図。
【図４】同実施の形態における扉を開放した状態を示す一部省略した平面図。
【図５】同実施の形態における扉を完全に開放した状態を示す一部省略した平面図。
【図６】同実施の形態における扉を収納空間側に後退した状態を示す一部省略した平面図。
【図７】同実施の形態における扉を閉じた状態を示す斜視図。
【図８】同実施の形態における開放した状態を示す斜視図。
【図９】同実施の形態における完全に開放した状態を示す斜視図。
【図１０】同実施の形態における収納空間側に後退した状態を示す斜視図。
【符号の説明】
２・・・扉
２Ａ・・・固定端
３・・・スライド機構
１４・・・側板
２１・・・第一の扉（左扉）
２１Ａ・・・自由端
２２・・・第二の扉（右扉）
２２Ａ・・・自由端
Ｓ１・・・収納空間
【図１】
0004321973.tif 000002
【図２】
0004321973.tif 000003
【図３】
0004321973.tif 000004
【図４】
0004321973.tif 000005
【図５】
0004321973.tif 000006
【図６】
0004321973.tif 000007
【図７】
0004321973.tif 000008
【図８】
0004321973.tif 000009
【図９】
0004321973.tif 000010
【図１０】
0004321973.tif 000011